(57)【要約】【課題】　パネル電圧の上昇時間と下降時間を個別に調整することができるプラズマディスプレイパネルの駆動装置及び駆動方法を提供する。【解決手段】　プラズマディスプレイパネルにおいて，パネルキャパシタのＹ電極にインダクタが電気的に連結されている。インダクタに第１方向の電流を注入してエネルギを保存した後に，インダクタとパネルキャパシタとの間の共振及び保存されたエネルギを用いてＹ電極の電圧をＶｓ/２電圧に変更する。Ｙ電極のＶｓ/２電圧とＸ電極の−Ｖｓ/２電圧との差によってパネルには維持放電が発生する。次に，インダクタに第１方向と反対方向である第２方向の電流を注入してエネルギを保存する。そして，インダクタとパネルキャパシタとの間の共振及び保存されたエネルギを用いて，Ｙ電極の電圧を−Ｖｓ/２電圧に変更する。【選択図】　　図３
2004133475.tif 000002
【特許請求の範囲】
【請求項１】
　第１及び第２電極間にパネルキャパシタが形成されるプラズマディスプレイパネルを駆動する方法であって，
　前記第１及び第２電極の電圧が各々第１電圧に維持されている間，前記第１電極に電気的に連結されたインダクタに，第１方向の電流を注入し第１エネルギを保存する第１段階と，
　前記第２電極の電圧が前記第１電圧に維持された状態で，前記インダクタと前記パネルキャパシタとの間の共振及び前記第１エネルギを用いて前記第１電極の電圧を第２電圧に変更する第２段階と，
　前記第１及び第２電極の電圧を各々前記第２及び第１電圧に維持した状態で，前記インダクタに残っているエネルギを回収する第３段階と，
を含む，プラズマディスプレイパネルの駆動方法。
【請求項２】
　前記第１及び第２電極の電圧を各々前記第２及び第１電圧に維持した状態で，前記インダクタに前記第１方向と反対方向である第２方向の電流を注入し第２エネルギを保存する第４段階と，
　前記第２電極の電圧が前記第１電圧に維持された状態で，前記インダクタと前記パネルキャパシタとの間の共振及び前記第２エネルギを用いて前記第１電極の電圧を前記第１電圧に変更する第５段階と，
　前記第１及び第２電極の電圧を各々前記第１電圧に維持した状態で，前記インダクタに残っているエネルギを回収する第６段階と，
をさらに含む，請求項１に記載のプラズマディスプレイパネルの駆動方法。
【請求項３】
　前記第１電圧と第２電圧との差は維持放電電圧である，請求項１または２に記載のプラズマディスプレイパネルの駆動方法。
【請求項４】
　前記第１段階における前記インダクタへの前記第１方向の電流注入量が，前記第４段階における前記インダクタへの前記第２方向の電流注入量より多いことを特徴とする，請求項２に記載のプラズマディスプレイパネルの駆動方法。
【請求項５】
　前記第２段階における前記第１電極の電圧を変更する時間が，前記第５段階における前記第１電極の電圧を変更する時間より短いことを特徴とする，請求項２に記載のプラズマディスプレイパネルの駆動方法。
【請求項６】
　前記第１及び第２電圧は各々第１及び第２信号線によって供給され，
　前記第１段階は，前記第１及び第２電圧間の大きさを有する第３電圧を供給する第３信号線，前記インダクタ及び前記第１信号線に形成される経路で，前記インダクタに前記第１方向の電流を注入し，
　前記第４段階は，前記第２信号線，前記インダクタ及び前記第３信号線に形成される経路で，前記インダクタに前記第２方向の電流を注入することを特徴とする，請求項２に記載のプラズマディスプレイパネルの駆動方法。
【請求項７】
　前記第２段階は，前記第３信号線，前記インダクタ及び前記パネルキャパシタに形成される経路で共振を発生させ，
前記第５段階は，前記パネルキャパシタ，前記インダクタ及び前記第３信号線に形成される経路で共振を発生させることを特徴とする，請求項６に記載のプラズマディスプレイパネルの駆動方法。
【請求項８】
　前記第１電圧及び前記第２電圧間の電圧である第３電圧と前記第１電極の電圧との電圧差によって共振が発生することを特徴とする，請求項２に記載のプラズマディスプレイパネルの駆動方法。
【請求項９】
　前記第３電圧は，前記第１電圧及び前記第２電圧の中間に該当する電圧であることを特徴とする，請求項８に記載のプラズマディスプレイパネルの駆動方法。
【請求項１０】
　前記第３電圧はキャパシタによって供給され，
　前記第１方向の電流は前記キャパシタから放電される電流であり，前記第２方向の電流は前記キャパシタを充電する電流であり，前記キャパシタから放電されるエネルギと前記キャパシタを充電するエネルギとが実質的に同一であることを特徴とする，請求項９に記載のプラズマディスプレイパネルの駆動方法。
【請求項１１】
　前記第３電圧は前記第１電圧及び前記第２電圧の中間に該当する電圧と，前記第２電圧との間の電圧であることを特徴とする，請求項８に記載のプラズマディスプレイパネルの駆動方法。
【請求項１２】
　前記第３電圧はキャパシタによって供給され，
　前記第１方向の電流は前記キャパシタから放電される電流であり，前記第２方向の電流は前記キャパシタを充電する電流であり，前記キャパシタから放電されるエネルギが前記キャパシタを充電するエネルギより小さいことを特徴とする，請求項１１に記載のプラズマディスプレイパネルの駆動方法。
【請求項１３】
　第１及び第２電極間にパネルキャパシタが形成されるプラズマディスプレイパネルを駆動する方法であって，
　前記第２電極の電圧を第１電圧に維持した状態で，前記第１電極に電気的に連結された第１インダクタと前記パネルキャパシタとの間の共振を用いて前記第１電極の電圧を第２電圧に変更する第１１段階と，
　前記第１及び第２電極の電圧を各々前記第２及び第１電圧に維持する第１２段階と，
　前記第２電極の電圧を前記第１電圧に維持した状態で，前記第１電極に電気的に連結された第２インダクタと前記パネルキャパシタとの間の共振を用いて前記第２電極の電圧を前記第１電圧に変更する第１３段階と，
　前記第１及び第２電極の電圧を各々前記第１電圧に維持する第１４段階と，
を含む，プラズマディスプレイパネルの駆動方法。
【請求項１４】
　前記第１インダクタは，前記第２インダクタより小さいインダクタンスを有することを特徴とする，請求項１３に記載のプラズマディスプレイパネルの駆動方法。
【請求項１５】
　前記第１電圧と第２電圧との差は維持放電電圧であることを特徴とする，請求項１３または１４に記載のプラズマディスプレイパネルの駆動方法。
【請求項１６】
　前記第１１段階は，前記第１及び第２電圧間の大きさを有する第３電圧を供給する信号線，前記第１インダクタ及び前記パネルキャパシタに形成される経路で共振を発生させ，
　前記第１３段階は，前記パネルキャパシタ，前記第２インダクタ及び前記信号線に形成される経路で共振を発生させることを特徴とする，請求項１３または１４に記載のプラズマディスプレイパネルの駆動方法。
【請求項１７】
　第１及び第２電極間にパネルキャパシタが形成されるプラズマディスプレイパネルを駆動する装置であって，
　前記第１電極に電気的に連結されるインダクタと，
　前記第１及び第２電極の電圧が各々第１電圧に維持されている間，前記第１及び第２電圧間の大きさを有する第３電圧を供給する信号線，前記インダクタ及び前記第１電圧を供給する第１電源に形成され，前記インダクタに第１方向の電流が注入される第１経路と，
　前記第２電極の電圧が前記第１電圧に維持され，前記第１方向の電流が前記インダクタに流れている間，前記信号線，前記インダクタ及び前記パネルキャパシタにＬＣ共振を発生させ，前記第１電極の電圧を前記第１電圧から前記第２電圧に変更する第２経路と，
　前記第１及び第２電極の電圧が各々前記第２及び第１電圧に維持されている間，前記第２電圧を供給する第２電源，前記インダクタ及び前記信号線に形成され，前記インダクタに前記第１方向と反対方向である第２方向の電流が注入される第３経路と，
　前記第２電極の電圧が前記第１電圧に維持され，前記第２方向の電流が前記インダクタに流れている間，前記パネルキャパシタ，前記インダクタ及び前記信号線にＬＣ共振を発生させ，前記第１電極の電圧を前記第２電圧から前記第１電圧に変更する第４経路と，
を含む，プラズマディスプレイパネルの駆動装置。
【請求項１８】
　前記第１電圧と第２電圧との差は維持放電電圧であることを特徴とする，請求項１７に記載のプラズマディスプレイパネルの駆動装置。
【請求項１９】
　前記インダクタへの前記第１方向の電流注入量が前記インダクタへの前記第２方向の電流注入量より多いことを特徴とする，請求項１７または１８に記載のプラズマディスプレイパネルの駆動装置。
【請求項２０】
　前記第２経路によって前記第１電極の電圧を前記第１電圧から前記第２電圧に変更される時間が，前記第４経路によって前記第１電極の電圧を前記第２電圧から前記第１電圧に変更される時間より短いことを特徴とする，請求項１７または１８に記載のプラズマディスプレイパネルの駆動装置。
【請求項２１】
　前記第３電圧を充電するキャパシタをさらに含むことを特徴とする，請求項１７または１８に記載のプラズマディスプレイパネルの駆動装置。
【請求項２２】
　前記第３電圧は前記第１電圧及び前記第２電圧の中間に該当する電圧であることを特徴とする，請求項２１に記載のプラズマディスプレイパネルの駆動装置。
【請求項２３】
　前記第３電圧は前記第１電圧及び前記第２電圧の中間に該当する電圧と，前記第２電圧との間の電圧であることを特徴とする，請求項２１に記載のプラズマディスプレイパネルの駆動装置。
【請求項２４】
　前記第１方向の電流によって前記キャパシタから放電されるエネルギが，前記第２方向の電流によって前記キャパシタに充電されるエネルギと実質的に同一であることを特徴とする，請求項２１に記載のプラズマディスプレイパネルの駆動装置。
【請求項２５】
　前記第１方向の電流によって前記キャパシタから放電されるエネルギが，前記第２方向の電流によって前記キャパシタに充電されるエネルギより小さいことを特徴とする，請求項２１に記載のプラズマディスプレイパネルの駆動装置。
【請求項２６】
　前記第１電極の電圧が前記第２電圧に変更された後，前記第１電極を前記第２電源に電気的に連結して前記第１電極の電圧を前記第２電圧に維持する第５経路をさらに含むことを特徴とする，請求項１７または１８に記載のプラズマディスプレイパネルの駆動装置。
【請求項２７】
　前記第１電極の電圧が前記第２電圧に変更された後，前記インダクタ及び前記第２電源に形成され，前記インダクタに流れる前記第１方向の電流を回収する第６経路と，
　前記第１電極の電圧が前記第１電圧に変更された後，前記インダクタ及び前記信号線に形成され，前記インダクタに流れる前記第２方向の電流を回収する第７経路と，
をさらに含むことを特徴とする，請求項１７または１８に記載のプラズマディスプレイパネルの駆動装置。
【請求項２８】
　前記第２電極は，前記第１電源に電気的に連結されて前記第１電圧に維持されることを特徴とする，請求項１７または１８に記載のプラズマディスプレイパネルの駆動装置。
【請求項２９】
　前記第１電源と前記第１電極との間に連結される第１スイッチング素子と，
　前記第２電源と前記第１電極との間に連結される第２スイッチング素子と，
　前記インダクタと前記信号線との間に並列に連結される第３及び第４スイッチング素子
とをさらに含み，
　前記第１経路は，前記第１及び第３スイッチング素子のターンオン，そして，前記第２及び第４スイッチング素子のターンオフによって形成され，
　前記第２経路は，前記第３スイッチング素子のターンオン，そして，前記第１，第２及び第４スイッチング素子のターンオフによって形成され，
　前記第３経路は，前記第２及び第４スイッチング素子のターンオン，そして，前記第１及び第３スイッチング素子のターンオフによって形成され，
　前記第４経路は，前記第４スイッチング素子のターンオン，そして，前記第１〜第３スイッチング素子のターンオフによって形成されることを特徴とする，請求項１７または１８に記載のプラズマディスプレイパネルの駆動装置。
【請求項３０】
　前記第１電圧は，前記第２電圧と同じ大きさで符号が反対であり，前記信号線は接地線に連結されていることを特徴とする，請求項１７または１８に記載のプラズマディスプレイパネルの駆動装置。
【請求項３１】
　前記第１電圧は接地電圧であり，前記第３電圧は前記第２電圧の半分に該当する電圧であり，前記信号線は前記第３電圧を充電しているキャパシタに連結されていることを特徴とする，請求項１７または１８に記載のプラズマディスプレイパネルの駆動装置。
【請求項３２】
　第１及び第２電極間にパネルキャパシタが形成されるプラズマディスプレイパネルを駆動する装置であって，
　前記第１電極に各々電気的に連結された第１及び第２インダクタと，
　前記第２電極の電圧が第１電圧に維持された状態で，前記第１インダクタと前記パネルキャパシタとの間に共振が発生し，前記第１電極の電圧が第２電圧に変更される第１共振経路と，
　前記第２電極の電圧が前記第１電圧に維持された状態で，前記第２インダクタと前記パネルキャパシタとの間に共振が発生し，前記第１電極の電圧が前記第１電圧に変更される第２共振経路とを含み，
　前記第１インダクタは前記第２インダクタより小さいインダクタンスを有することを特徴とする，プラズマディスプレイパネルの駆動装置。
【請求項３３】
　第１及び第２電極間にパネルキャパシタが形成されるプラズマディスプレイパネルを駆動する方法であって，
　前記第２電極の電圧が第１１電圧に維持された状態で，前記パネルキャパシタを第１２電圧から第１３電圧に充電する段階と，
　前記第２電極の電圧が前記第１１電圧に維持された状態で，前記パネルキャパシタを前記第１３電圧から前記第１２電圧に放電する段階と，
を含み，
　前記パネルキャパシタを充電する時間が，前記パネルキャパシタを放電する時間より短いことを特徴とする，プラズマディスプレイパネルの駆動方法。
【請求項３４】
　第１及び第２電極間にパネルキャパシタが形成されるプラズマディスプレイパネルを駆動する方法であって，
　所定の電圧を充電しているキャパシタと前記パネルキャパシタとの間に電気的に連結されたインダクタに第１エネルギを蓄積する段階と，
　前記第１エネルギが蓄積された前記インダクタを通じて前記パネルキャパシタを充電する段階と，
　前記インダクタに第２エネルギを蓄積する段階と，
前記第２エネルギが蓄積された前記インダクタを通じて前記パネルキャパシタを放電する段階とを含み，
　前記所定の電圧は前記第１エネルギ及び前記第２エネルギの量によって調節されることを特徴とする，プラズマディスプレイパネルの駆動方法。
【発明の詳細な説明】
【技術分野】
【０００１】
　本発明は，プラズマディスプレイパネルの駆動装置及び駆動方法に関する。
【背景技術】
【０００２】
　プラズマディスプレイパネルは，気体放電によって生成されたプラズマを利用し，文字または映像を表示する平面表示装置であって，その大きさによって数十から数百万個以上の画素がマトリックス状に配列されている。このようなプラズマディスプレイパネルは，印加される駆動電圧波形の形態及び放電セルの構造によって直流型と交流形に分けられる。
【０００３】
　直流型プラズマディスプレイパネルは，電極が，放電空間が絶縁されないまま露出され，電圧が印加されている間中は電流が放電空間にそのまま流れるようになり，このために電流を制限するための抵抗を作らなければならないという短所がある。一方，交流形プラズマディスプレイパネルでは電極を誘電体層が覆い，直列キャパシタンス成分の形成によって電流が制限されて安定化する長所と，放電時のイオン衝撃から電極が保護されるため，直流形に比べて寿命が長いという長所がある。
【０００４】
　交流形プラズマディスプレイパネルには，互いに平行配列された走査電極及び維持電極があり，これら電極と直交する方向にアドレス電極が形成される。そして，維持電極は各走査電極に対応して形成され，維持電極は隣りの維持電極と一端で互いに一体に形成されている。
【０００５】
　一般に交流形プラズマディスプレイパネルの駆動方法は，時間経過に伴う動作変化として表すと，リセット期間，アドレッシング期間，維持放電期間，消去期間からなる。
【０００６】
　リセット期間は，放電セル（以下，セルと略す）への円滑なアドレシング動作が行えるように，各セルの状態を初期化する期間であり，アドレシング期間はパネル上の点灯セルと非点灯セルを選択するために点灯セル（アドレッシングセル）を通過する電極にアドレスパネルと走査パルスを印加して放電させ，誘電体層の上などに壁電荷を残し発光用放電を容易にするメモリ動作を行う期間である。維持放電期間は，維持放電パルスを印加してアドレスされたセルに，実際に画像を表示するための放電を行う期間であり，所望の輝度に比例した回数だけパルスを印加し放電を繰り返す。消去期間は，セルの壁電荷を減少させて維持放電を終了させる期間である。
【０００７】
　このとき，走査電極と維持電極との間，アドレス電極が形成された面と走査及び維持電極が形成された面との間の放電空間等は，容量性負荷（以下，"パネルキャパシタ"と称する）として作用するため，パネルにはキャパシタンス成分が存在する。したがって，頻度の高い維持放電のための電圧波形を印加するためには，キャパシタンス充放電用に多くの無効電力が必要となる。この無効電力は電源回路に大きい負担を与えるので，負担軽減のために，プラズマディスプレイパネルの駆動回路には無効電力を回収して再使用する電力回収回路が組み込まれている。このような電力回収回路として，Ｌ．Ｆ．Ｗｅｂｅｒによって提案された回路（例えば特許文献１及び特許文献２参照）がある。
【０００８】
　Ｗｅｂｅｒの回路はパネルキャパシタとインダクタとの間の共振を用いてパネルのエネルギを電力回収用キャパシタに移すか，または電力回収用キャパシタに保存されたエネルギをパネルに移す動作を繰り返すことによって，無効電力を回収する。しかし，Ｗｅｂｅｒの回路ではインダクタのインダクタンス（Ｌ）とパネルキャパシタのキャパシタンス（Ｃ）による時定数（ＬＣ）によって，パネル電圧の上昇及び下降時間が決定される。しかし，Ｗｅｂｅｒ回路における時定数（ＬＣ）は，常に一定なので，パネル電圧の上昇時間と下降時間が同一になる。例えば，パネル電圧の上昇時間を速くするためにはパネル電圧の上昇中に電源と連結されたスイッチング素子をハードスイッチングしなければならないので，スイッチング素子のストレスが増加するようになる。また，ハードスイッチングにより電力損失が発生し，ＥＭＩ（ｅｌｅｃｔｒｏ　ｍａｇｎｅｔｉｃ　ｉｎｔｅｒｆｅｒｅｎｃｅ）の悪影響が増加する。
【０００９】
【特許文献１】米国特許第４，８６６，３４９号明細書
【特許文献２】米国特許第５，０８１，４００号明細書
【発明の開示】
【発明が解決しようとする課題】
【００１０】
　本発明は，このような問題に鑑みてなされたもので，その目的とするところは，パネル電圧の上昇時間と下降時間を互いに独立に調整することができるプラズマディスプレイパネルの駆動装置及び駆動方法を提供することにある。
【課題を解決するための手段】
【００１１】
　上記課題を解決するために，本発明によれば，第１及び第２電極間にパネルキャパシタが形成されるプラズマディスプレイパネルを駆動する方法と装置が提供される。
【００１２】
　本発明の第１観点によるプラズマディスプレイパネルを駆動する方法によると，まず，第１及び第２電極の電圧が各々第１電圧に維持されている間，第１電極にインダクタが電気的に連結されているインダクタに，第１方向の電流を注入して第１エネルギを保存する（第１段階）。そして，インダクタとパネルキャパシタとの間の共振及び第１エネルギを用いて第１電極の電圧を第２電圧に変更した後（第２段階），インダクタに残っているエネルギを回収する（第３段階）。かかる構成によれば，インダクタに第１方向の電流を注入する時間を調整することによって，パネルキャパシタの両端電圧であるパネル電圧の上昇時間を調整することができ，同様に，インダクタに第２方向の電流を注入する時間を調整することによって，パネル電圧の下降時間を調整することができる。このとき，インダクタへの第１方向の電流注入量はインダクタへの第２方向の電流注入量より多いことが好ましい。この場合には，パネル電圧の上昇時間を短くし下降時間を長いようにすることができる。
【００１３】
　また，上記第１の観点による方法において，上記第１及び第２電極の電圧を各々前記第２及び第１電圧に維持した状態で，前記インダクタに前記第１方向と反対方向である第２方向の電流を注入し第２エネルギを保存する第４段階と，前記第２電極の電圧が前記第１電圧に維持された状態で，前記インダクタと前記パネルキャパシタとの間の共振及び前記第２エネルギを用いて前記第１電極の電圧を前記第１電圧に変更する第５段階と，前記第１及び第２電極の電圧を各々前記第１電圧に維持した状態で，前記インダクタに残っているエネルギを回収する第６段階とをさらに含むようにしてもよい。また，上記第１の観点による方法において，上記第１電圧と第２電圧との差は維持放電電圧であることが好ましい。
【００１４】
　また，上記第１の観点による方法における第１及び第２電圧は各々第１及び第２信号線によって供給され，前記第１段階は，前記第１及び第２電圧間の大きさを有する第３電圧を供給する第３信号線，前記インダクタ及び前記第１信号線に形成される経路で，前記インダクタに前記第１方向の電流を注入し，前記第４段階は，前記第２信号線，前記インダクタ及び前記第３信号線に形成される経路で，前記インダクタに前記第２方向の電流を注入するようにしてもよい。
【００１５】
　また，上記第１の観点による方法における第２段階は，前記第３信号線，前記インダクタ及び前記パネルキャパシタに形成される経路で共振を発生させ，前記第５段階は，前記パネルキャパシタ，前記インダクタ及び前記第３信号線に形成される経路で共振を発生させるようにしてもよく，前記第１電圧及び前記第２電圧間の電圧である第３電圧と前記第１電極の電圧との電圧差によって共振が発生するようにしてもよい。
【００１６】
　また，上記第１の観点による方法における第３電圧はキャパシタによって供給され，前記第１方向の電流は前記キャパシタから放電される電流であり，前記第２方向の電流は前記キャパシタを充電する電流であり，前記キャパシタから放電されるエネルギと前記キャパシタを充電するエネルギとが実質的に同一であるようにしてもよい。また，上記第３電圧は，前記第１電圧及び前記第２電圧の中間に該当する電圧であってもよく，また上記第３電圧は前記第１電圧及び前記第２電圧の中間に該当する電圧と，前記第２電圧との間の電圧であってもよい。また，上記第３電圧はキャパシタによって供給され，前記第１方向の電流は前記キャパシタから放電される電流であり，前記第２方向の電流は前記キャパシタを充電する電流であり，前記キャパシタから放電されるエネルギが前記キャパシタを充電するエネルギより小さくなるようにしてもよい。
【００１７】
　本発明の第２観点によるプラズマディスプレイパネルの駆動方法によると，まず，第２電極の電圧を第１電圧に維持した状態で，第１電極に電気的に連結された第１インダクタとパネルキャパシタとの間の共振を用いて第１電極の電圧を第２電圧に変更し（第１１段階），第１及び第２電極の電圧を各々第２及び第１電圧に維持する（第１２段階）。次に，第１電極に電気的に連結された第２インダクタとパネルキャパシタとの間の共振を用いて第１電極の電圧を第１電圧に変更し（第１３段階），第１及び第２電極の電圧を各々第１電圧に維持する（第１４段階）。かかる構成によれば，パネルキャパシタの両端電圧であるパネル電圧の上昇時間及び下降時間は各々第１インダクタ，第２インダクタのインダクタンスの関数であるので，これらのインダクタンスを調節することによって，パネル電圧の上昇時間及び下降時間を調整することができる。このとき，第１インダクタは第２インダクタより小さいインタクダンスを有するのが好ましい。この場合には，パネル電圧の上昇時間を短くし下降時間を長いようにすることができる。なお，上記第１電圧と第２電圧との差は維持放電電圧であることが好ましい。
【００１８】
　また，上記第２の観点による方法における第１１段階は，前記第１及び第２電圧間の大きさを有する第３電圧を供給する信号線，前記第１インダクタ及び前記パネルキャパシタに形成される経路で共振を発生させ，前記第１３段階は，前記パネルキャパシタ，前記第２インダクタ及び前記信号線に形成される経路で共振を発生させるようにしてもよい。
【００１９】
　本発明の第３観点によるプラズマディスプレイパネルの駆動装置は，第１電極に電気的に連結されるインダクタを含む。第１及び第２電極の電圧が各々第１電圧に維持されている間，第１及び第２電圧間の大きさを有する第３電圧を供給する信号線，インダクタ及び第１電圧を供給する第１電源に第１経路が形成され，インダクタに第１方向の電流が注入される。第１方向の電流がインダクタに流れている間，信号線，インダクタ及びパネルキャパシタに形成される第２経路によってＬＣ共振が発生し，第１電極の電圧が第１電圧から第２電圧に変更される。そして第１及び第２電極の電圧が各々第２及び第１電圧に維持されている間，第２電圧を供給する第２電源，インダクタ及び信号線に第３経路が形成され，インダクタに第１方向と反対方向である第２方向の電流が注入される。第２方向の電流がインダクタに流れている間，パネルキャパシタ，インダクタ及び信号線に形成される第４経路によってＬＣ共振が発生し，第１電極の電圧が第２電圧から第１電圧に変更される。第１方向の電流を注入する時間を調整することによって，パネルキャパシタの両端電圧であるパネル電圧の上昇時間を調整することができ，同様に，インダクタに第２方向の電流を注入する時間を調整することによって，パネル電圧の下降時間を調整することができる。このとき，インダクタへの第１方向の電流注入量はインダクタへの第２方向の電流注入量より多いことが好ましい。この場合には，パネル電圧の上昇時間を短くし下降時間を長いようにすることができる。なお，第１電圧と第２電圧との差は維持放電電圧であることが好ましい。
【００２０】
　また，上記第３の観点による装置における第３電圧を充電するキャパシタをさらに含むようにしてもよい。上記第３電圧は前記第１電圧及び前記第２電圧の中間に該当する電圧であってもよく，また第３電圧は前記第１電圧及び前記第２電圧の中間に該当する電圧と，前記第２電圧との間の電圧であってもよい。
【００２１】
　また，上記第３の観点による装置において，上記第１方向の電流によって前記キャパシタから放電されるエネルギが，前記第２方向の電流によって前記キャパシタに充電されるエネルギと実質的に同一であるようにしてもよい。この場合，第１方向の電流によって前記キャパシタから放電されるエネルギが，前記第２方向の電流によって前記キャパシタに充電されるエネルギより小さくなるようにしてもよい。
【００２２】
　また，上記第３の観点による装置において，上記第１電極の電圧が前記第２電圧に変更された後，前記第１電極を前記第２電源に電気的に連結して前記第１電極の電圧を前記第２電圧に維持する第５経路をさらに含むようにしてもよい。
【００２３】
　また，上記第３の観点による装置において，上記第１電極の電圧が前記第２電圧に変更された後，前記インダクタ及び前記第２電源に形成され，前記インダクタに流れる前記第１方向の電流を回収する第６経路と，前記第１電極の電圧が前記第１電圧に変更された後，前記インダクタ及び前記信号線に形成され，前記インダクタに流れる前記第２方向の電流を回収する第７経路とをさらに含むようにしてもよい。なお，上記第２電極は，前記第１電源に電気的に連結されて前記第１電圧に維持されるようにしてもよい。
【００２４】
　また，上記第３の観点による装置において，上記第１電源と前記第１電極との間に連結される第１スイッチング素子と，前記第２電源と前記第１電極との間に連結される第２スイッチング素子と，前記インダクタと前記信号線との間に並列に連結される第３及び第４スイッチング素子とをさらに含み，前記第１経路は，前記第１及び第３スイッチング素子のターンオン，そして，前記第２及び第４スイッチング素子のターンオフによって形成され，前記第２経路は，前記第３スイッチング素子のターンオン，そして，前記第１，第２及び第４スイッチング素子のターンオフによって形成され，前記第３経路は，前記第２及び第４スイッチング素子のターンオン，そして，前記第１及び第３スイッチング素子のターンオフによって形成され，前記第４経路は，前記第４スイッチング素子のターンオン，そして，前記第１〜第３スイッチング素子のターンオフによって形成されるようにしてもよい。
【００２５】
　また，上記第３の観点による装置において，上記第１電圧は，前記第２電圧と同じ大きさで符号が反対であり，前記信号線は接地線に連結されるように構成してもよく，上記第１電圧は接地電圧であり，前記第３電圧は前記第２電圧の半分に該当する電圧であり，前記信号線は前記第３電圧を充電しているキャパシタに連結されように構成してもよい。
【００２６】
　本発明の第４観点によるプラズマディスプレイパネルの駆動装置は，前記第１電極に各々電気的に連結された第１及び第２インダクタと，前記第２電極の電圧が第１電圧に維持された状態で，前記第１インダクタと前記パネルキャパシタとの間に共振が発生し，前記第１電極の電圧が第２電圧に変更される第１共振経路と，前記第２電極の電圧が前記第１電圧に維持された状態で，前記第２インダクタと前記パネルキャパシタとの間に共振が発生し，前記第１電極の電圧が前記第１電圧に変更される第２共振経路とを含む。このとき，前記第１インダクタは前記第２インダクタより小さいインダクタンスを有するのが好ましい。
【００２７】
　本発明の第５観点によるプラズマディスプレイパネルの駆動方法は，前記第２電極の電圧が第１１電圧に維持された状態で，前記パネルキャパシタを第１２電圧から第１３電圧に充電する段階と，前記第２電極の電圧を前記第１電圧に維持した状態で，前記パネルキャパシタを前記第１３電圧から前記第１２電圧まで放電する段階とを含む。このとき，前記パネルキャパシタを充電する時間が，前記パネルキャパシタを放電する時間より短いのが好ましい。
【００２８】
　本発明の第６観点によるプラズマディスプレイパネルの駆動方法は，所定の電圧を充電しているキャパシタと前記パネルキャパシタとの間に電気的に連結されたインダクタに第１エネルギを蓄積する段階と，前記第１エネルギが蓄積された前記インダクタを通じて前記パネルキャパシタを充電する段階と，前記インダクタに第２エネルギを蓄積する段階と，前記第２エネルギが蓄積された前記インダクタを通じて前記パネルキャパシタを放電する段階とを含む。このとき，前記所定の電圧は前記第１エネルギ及び前記第２エネルギの量によって調節されるのが好ましい。
【発明の効果】
【００２９】
　以上より，本発明によれば，パネル電圧の上昇時間及び下降時間を互いに独立に調節することが可能なプラズマディスプレイパネルの駆動装置及び駆動方法を提供できる。
【発明を実施するための最良の形態】
【００３０】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
　先ず，本発明の後述する第１〜第４の実施形態に適用可能なプラズマディスプレイパネルについて，図面を参照しながら詳細に説明する。図１は本実施形態にかかるプラズマディスプレイパネルの概略的なブロック図である。
【００３２】
　図１に示すように，本実施形態にかかるプラズマディスプレイパネルはプラズマパネル１００，アドレス駆動部２００，走査・維持駆動部３００及び制御部４００を含む。
【００３３】
　図１において，プラズマパネル１００は，列（縦）方向に長く互いに平行に配列されている複数個のアドレス電極Ａ１〜Ａｍ，行（横）方向に長く互いに平行に配置されている第１電極例えば複数個の走査電極Ｙ１〜Ｙｎ（以下，Ｙ電極と称する），及び各Ｙ電極に対応して１本ずつ平行配列される第２電極例えば維持電極（Ｘ１〜Ｘｎ）（以下，Ｘ電極と称する）を含む。Ｘ電極Ｘ１〜Ｘｎは，一般に，その一端が隣り合うＸ電極に連結されて，全体として手指状になっている。制御部４００は外部から映像信号を受信してアドレス駆動制御信号と維持放電制御信号とを生成し，各々アドレス駆動部２００と走査・維持駆動部３００とに印加する。
【００３４】
　アドレス駆動部２００は，制御部４００からアドレス駆動制御信号を受信し，表示しようとする放電セルを選択するためのアドレスパルスを各アドレス電極に印加する。走査・維持駆動部３００は制御部４００から走査制御信号及び維持放電制御信号を受信してＹ電極に走査パルスを出力し，点灯すべきセルを選択して放電準備状態を記憶させ，次いで維持放電制御信号を受信してＹ電極とＸ電極とに維持放電パルスを出力する。この維持放電パルスは１回毎にＸＹ電極間の極性が反転する交流形式であり，このパルスによって選択された放電セルで維持放電が起こる。
【００３５】
　以下，本発明の第１の実施形態にかかる走査・維持駆動部３００の維持放電回路について図２〜図４を参照しながら詳細に説明する。
【００３６】
　図２は第１の実施形態にかかる維持放電回路の概略的な回路図である。図３は第１の実施形態にかかる維持放電回路の駆動タイミング図であり，図４Ａ〜図４Ｈは第１の実施形態にかかる維持放電回路における各モードの電流経路を示す回路図である。
【００３７】
　図２に示すように，本発明の第１の実施形態にかかる維持放電回路は，Ｙ電極駆動部３１０，Ｘ電極駆動部３２０，Ｙ電極電力回収部３３０，Ｘ電極電力回収部３４０を含を備える。なお，維持放電回路は基本的に左，右（Ｙ，Ｘ）が対称である。
【００３８】
　維持放電回路は，３個の外部端子（＋ｈａｌｆ―ＶＳ電位点，接地点，―ｈａｌｆ−Ｖｓ電位点）に各々接続され，第２電圧，第３電圧，第１電圧（第１１電圧）をそれぞれ供給する第２信号線，第３信号線，第１信号線の３本の線（＋電源線，接地線，−電源線）と，これらの間に接続される部品で構成される。Ｙ電極駆動部３１０とＸ電極駆動部３２０は，パネルキャパシタＣｐの両端であるＹ電極とＸ電極に連結されている。Ｙ電極駆動部３１０はスイッチング素子Ｙｓ，Ｙｇを含み，Ｘ電極駆動部３２０はスイッチング素子Ｘｓ，Ｘｇを含む。Ｙ電極電力回収部３３０はインダクタＬ１及びスイッチング素子Ｙｒ，Ｙｆを含み，Ｘ電極電力回収部３４０はインダクタＬ２及びスイッチング素子Ｘｒ，Ｘｆを含む。このようなスイッチング素子Ｙｓ，Ｙｇ，Ｘｓ，Ｘｇ，Ｙｒ，Ｙｆ，Ｘｒ，Ｘｆはボディーダイオードを有するＭＯＳＦＥＴで構成するのが好ましいが，以下に説明する機能を満足すれば他のスイッチング素子が用いても差し支えない。なお，例えば上記Ｙｇ，Ｙｓはそれぞれ第１，第２スイッチング素子の１例を構成し，上記Ｙｒ，Ｙｆはそれぞれ第３，第４スイッチング素子の１例を構成する。
【００３９】
　スイッチング素子Ｙｓ，Ｙｇは，第２電圧例えばＶｓ／２電圧を供給する電源Ｖｓ／２（＋電源線）及び第１電圧例えば−Ｖｓ／２電圧を供給する電源−Ｖｓ／２（−電源線）の間に直列に連結され，ＹｓとＹｇの接続点がパネルキャパシタＣｐのＹ電極（図のＶｙ）に連結されている。同様に，スイッチング素子Ｘｓ，Ｘｇも，電源Ｖｓ／２及び電源−Ｖｓ／２の間に直列に連結され，ＸｓとＸｇの接続点がパネルキャパシタＣｐのＸ電極（図のＶｘ）に連結されている。
【００４０】
　パネルキャパシタＣｐのＹ電極にはインダクタＬ１の一端が連結されており，インダクタＬ１の他端と第３電圧（ここでは例えば電圧０）を供給する信号線（第３信号線）例えば接地線０との間にはスイッチング素子Ｙｒ，Ｙｆが並列に連結されている。同様に，パネルキャパシタＣｐのＸ電極にはインダクタＬ２の一端が連結されており，インダクタＬ２の他端と接地線０との間にはスイッチング素子Ｘｒ，Ｘｆが並列に連結されている。Ｙ電極電力回収部３３０はスイッチング素子Ｙｒ，Ｙｆのボディーダイオードによって形成可能な電流経路を防止するためのダイオードＤｙ１，Ｄｙ２をさらに含むことができる。同様にＸ電極電力回収部３４０もダイオードＤｘ１，Ｄｘ２をさらに含み，スイッチング素子Ｘｒ，Ｘｆのボディーダイオードによって生成し得る電流経路を防止することができる。また，Ｙ電極電力回収部３３０及びＸ電極電力回収部３４０は，各々インダクタＬ１，Ｌ２の他端電圧がＶｓ/２より大きくなったり−Ｖｓ/２より小さくなったりしないようにクランプするための，ダイオード（図示せず）をさらに含むことができる。
【００４１】
　次に，図３，図４Ａ〜図４Ｈを参照して本発明の第１の実施形態にかかる維持放電回路の時系列的動作変化を説明する。ここで，動作変化は１６個のモードＭ１〜Ｍ１６で一巡し，モードの変化はスイッチング素子の操作によって生じる。また，ＬＣ共振と称する現象は，連続的発振ではなく，スイッチング素子Ｙｒ，Ｙｆ，ＸｒまたはＸｆの導通時に生じる，インダクタＬ１またはＬ２とパネルキャパシタＣｐとの組み合わせによる電圧及び電流の変化現象である。
【００４２】
　本発明の第１の実施形態にかかる動作を行う前に，スイッチング素子Ｙｇ，Ｘｇが導通し，パネルキャパシタＣｐのＹ電極電圧Ｖｙ及びＸ電極電圧Ｖｘが各々−Ｖｓ/２に維持されていると仮定する。そして，パネルキャパシタＣｐのキャパシタンスをＣ，インダクタＬ１，Ｌ２のインダクタンスを各々Ｌ１，Ｌ２と仮定する。
【００４３】
　図３及び図４Ａに示すように，モード１（Ｍ１：第１段階の１例）が始まる時，スイッチング素子Ｙｇ，Ｘｇがオン状態でスイッチング素子Ｙｒがオンになる。そうするとモード１（Ｍ１）では，パネルキャパシタＣｐのＹ電極電圧Ｖｙ及びＸ電極電圧Ｖｘが各々−Ｖｓ/２電圧に維持された状態でインダクタＬ１に電流が注入開始され，接地線０，スイッチング素子Ｙｒ，インダクタＬ１，スイッチング素子Ｙｇへの経路（第１経路の１例）により，インダクタＬ１に流れる電流ＩＬ１はＶｓ/２Ｌ１の傾きで増加し，エネルギ（第１エネルギ）が保存される。つまり，例えば，モード１（Ｍ１）がΔｔ１時間持続されるならば，モード１（Ｍ１）が終わる時点におけるインダクタＬ１に流れる電流Ｉｐ１は下記の数式（１）のようになる。
【００４４】
【数１】
2004133475.tif 000003
【００４５】
　次に，モード２（Ｍ２：第２段階の１例，第１１段階の１例）が始まる時，スイッチング素子Ｙｇが遮断され，図４Ｂに示すように接地線０，スイッチング素子Ｙｒ，インダクタＬ１，パネルキャパシタＣｐ，スイッチング素子Ｘｇ，電源−Ｖｓ/２に電流経路（第２経路の１例）が形成されて，パネルキャパシタＣＰが充電されて電圧Ｖｙが上昇し，インダクタＬ１の電流増加率が減少して，ＬＣ共振が発生する。ＬＣ共振によってパネルキャパシタＣｐのＹ電極電圧Ｖｙは増加するが，スイッチング素子ＹｓのボディーダイオードによってクランプされるＶｓ/２までは増加を続ける。動作速度を左右するＹ電極電圧Ｖｙの増加率は，インダクタＬ１がパネルキャパシタＣＰに供給する電流に比例するので，Ｙ電極電圧ＶｙがＶｓ/２まで増加するにかかる時間ΔＴｒは，共振時にインダクタＬ１に流れる電流Ｉｐ１によって決定される。つまり，下記の数式（２）のようにＹ電極電圧Ｖｙの上昇時間ΔＴｒは，電流Ｉｐ１，即ち，モード１（Ｍ１）の電流注入時間Δｔ１，従って，スイッチング素子Ｙｇの遮断タイミングによって調節できる。
【００４６】
【数２】
2004133475.tif 000004
【００４７】
　モード３（Ｍ３：第３段階の１例）が始まると，パネルキャパシタＣｐのＹ電極電圧ＶｙがＶｓ/２まで増加すると，スイッチング素子Ｙｓが導通してＹ電極電圧ＶｙがＶｓ/２に維持される。そして，図４Ｃに示すように，インダクタＬ１に流れた電流ＩＬ１はスイッチング素子Ｙｒ，インダクタＬ１，スイッチング素子Ｙｓのボディーダイオードの経路（第６経路の１例）で，−Ｖｓ/２Ｌ１の傾きにより零アンペアまで減少する。即ち，インダクタＬ１に流れた電流ＩＬ１は電源Ｖｓ/２に回収される。すなわち，インダクタＬ１に残っていたエネルギが回収される。
【００４８】
　図３及び図４Ｄに示すようにモード４（Ｍ４：第１２段階の１例）が始まると，インダクタＬ１に流れる電流ＩＬ１が零アンペアになった後にスイッチング素子Ｙｒが遮断される。そして，スイッチング素子Ｙｓ，Ｘｇは導通しているので，スイッチング素子Ｙｓ，パネルキャパシタＣｐ，スイッチング素子Ｘｇの経路（第５経路の１例）により，パネルキャパシタＣｐのＹ電極電圧Ｖｙ及びＸ電極電圧Ｖｘは，各々Ｖｓ/２及び−Ｖｓ/２電圧に維持され続ける。Ｙ電極及びＸ電極の電圧差Ｖｙ−Ｖｘが維持放電に必要な電圧（以下，維持放電電圧と称する）であるＶｓ電圧になるので維持放電が発生する。なお，インダクタＬ１に流れる電流ＩＬ１が零アンペアになった後もスイッチング素子Yrが導通している場合，逆向きのインダクタ電流が流れようとしてもダイオードＤｙ１によって遮断されＩＬ１=零アンペアの状態が継続する。
【００４９】
　モード５（Ｍ５：第４段階の１例）ではスイッチング素子Ｙｓ，Ｘｇが導通状態でスイッチング素子Ｙｆが導通する。そうすると，図４Ｅに示すように電源Ｖｓ/２，スイッチング素子Ｙｓ，インダクタＬ１，スイッチング素子Ｙｆ，接地線０に電流経路（第３経路の１例）が形成され，インダクタＬ１に流れる電流は逆方向に替わって，単位時間あたり増加量が−Ｖｓ/２Ｌ１になる。即ち，モード５（Ｍ５）では，パネルキャパシタＣｐのＹ電極電圧Ｖｙ及びＸ電極電圧Ｖｘを各々Ｖｓ/２及び−Ｖｓ/２に維持した状態で，モード１（Ｍ１）とは反対方向の電流をインダクタＬ１に注入する。即ち，インダクタＬ１にエネルギ（第２エネルギ）が保存される。
【００５０】
　モード６（Ｍ６：第５段階の１例，第１３段階の１例）が始まると，図４Ｆに示すようにスイッチング素子Ｙｓが遮断され，スイッチング素子Ｘｇ，パネルキャパシタＣｐ，インダクタＬ１，スイッチング素子Ｙｆ，接地線０に電流経路（第４経路の１例）が形成され，ＬＣ共振が発生する。ＬＣ共振によってパネルキャパシタＣｐのＹ電極電圧Ｖｙは減少するが，スイッチング素子Ｘｇのボディーダイオードによって−Ｖｓ/２まで減少する。しかし，このＬＣ共振はモード２（Ｍ２）の時のように，インダクタＬ１に一定量の電流が流れている状態で発生するので，パネルキャパシタＣｐのＹ電極電圧Ｖｙが−Ｖｓ/２まで減少するにかかる時間ΔＴｆは，共振時にインダクタＬ１に流れる電流によって決定される。モード１（Ｍ１）で説明したように，共振時にインダクタＬ１に流れる電流は，インダクタＬ１に電流が注入される期間であるモード５（Ｍ５）の期間Δｔ５によって決定される。
【００５１】
　次に，モード７（Ｍ７：第６段階の１例）では，直前モード（Ｍ６）でパネルキャパシタＣｐのＹ電極電圧Ｖｙが減少して，−Ｖｓ/２よりも負側に変化しようとすると，スイッチング素子Ｙｇのボディーダイオードが導通し，モード７（Ｍ７）となってＹ電極電圧Ｖｙが-Ｖｓ/２に維持される。そして，図４Ｇに示すように，インダクタＬ１に流れた電流ＩＬ１はスイッチング素子Ｙｇのボディーダイオード，インダクタＬ１，スイッチング素子Ｙｆの経路（第７経路の１例）で流れるが，インダクタＬ１にかかる電圧のため，Ｖｓ/２Ｌ１の傾きで変化して零アンペアに至る。即ち，インダクタＬ１に残っていたエネルギが回収される。
【００５２】
　図３及び図４Ｈのように，モード８（Ｍ８：第１４段階の１例）では，インダクタＬ１に流れる電流ＩＬ１が零アンペアになった後にスイッチング素子Ｙｆが遮断される。そして，スイッチング素子Ｙｇ，Ｘｇは遮断されているのでパネルキャパシタＣｐのＹ電極電圧Ｖｙ及びＸ電極電圧Ｖｘは各々−Ｖｓ/２に維持され続ける。
【００５３】
　モード１〜８（Ｍ１〜Ｍ８）の過程では，パネルキャパシタＣｐの両端電圧Ｖｙ−Ｖｘ（以下，パネル電圧と称する）は，零ボルト（第１２電圧）からＶｓ（第１３電圧）まで増加した後に零ボルトにもどるようにスイングできる。そして，図３に示すように，モード９〜１６（Ｍ９〜Ｍ１６）におけるスイッチング素子Ｘｓ，Ｘｇ，Ｘｒ，Ｘｆ及びスイッチング素子Ｙｓ，Ｙｇ，Ｙｒ，Ｙｆの動作は，各々モード１〜８（Ｍ１〜Ｍ８）におけるスイッチング素子Ｙｓ，Ｙｇ，Ｙｒ，Ｙｆ及びスイッチング素子Ｘｓ，Ｘｇ，Ｘｒ，Ｘｆの動作と同様である。したがって，モード９〜１６（Ｍ９〜Ｍ１６）でパネルキャパシタＣｐのＸ電極電圧Ｖｘは，モード１〜８（Ｍ１〜Ｍ８）におけるＹ電極電圧Ｖｙと同じ波形を有する。したがって，モード９〜１６（Ｍ９〜Ｍ１６）におけるパネル電圧Ｖｙ−Ｖｘは零ボルト（第１２電圧）から−Ｖｓ（第１３電圧）の間をスイングする。本発明の第１の実施の形態にかかる維持放電回路のモード９〜１６（Ｍ９〜Ｍ１６）における動作に対する詳細な説明は，モード１〜８（Ｍ１〜Ｍ８）の説明を通じて当業者であれば容易に分かるので省略する。
【００５４】
　このように本発明の第１の実施の実施の形態によれば，モード１（Ｍ１）でインダクタＬ１に電流を注入する時間Δｔ１を調整することによって，パネル電圧の上昇時間ΔＴｒを調整することができ，同様にモード５（Ｍ５）ではインダクタＬ１に電流を注入する時間Δｔ５を調整することによって，パネル電圧の下降時間ΔＴｆを調整することができる。なお，モード（Ｍ１）でインダクタＬ１への電流注入量が，モード５（Ｍ５）でインダクタＬ１への電流流入量より多いことが好ましい。この場合には，パネル電圧の上昇時間を短くし下降時間を長いようにすることができる。
【００５５】
　しかし，図５に示すように，パネルキャパシタＣｐのＸ電極とＹ電極との間にある放電空間の状態，即ち，壁電荷状態は全ての放電セルに関して均一でないので，壁電圧が放電せるごとに異なる。図５左側に示す放電セル５１のように壁電圧が少量であれば壁電圧Ｖｗ１が低いから，放電を開始するための電圧が高くなり，右側に示す放電セル５２のように壁電荷が多量であれば壁電圧Ｖｗ２が高いから，放電を開始するための電圧が低くなる。放電セル５２のように壁電圧が高く開始電圧が低い場合には，パネル電圧Ｖｙ−Ｖｘの上昇中に放電が開始することもある。つまり，スイッチング素子Ｙｓが遮断されているモード２（Ｍ２）の中間で放電が開始することもあるので，電源Ｖｓ/２から放電を維持するための電力が供給されずにインダクタＬ１から電力が供給されなければならない。そして，モード３（Ｍ３）の開始時にスイッチング素子Ｙｓが導通して放電が再び発生する。このように放電が二度発生することにより，パネル全体に均一な光が発生できないようになる。したがって，不均一な放電が起こらないようにパネル電圧Ｖｙ−Ｖｘの上昇期間ΔＴｒを短くすることが好ましい。
【００５６】
　また，パネル電圧Ｖｙ−Ｖｘが急激に減少すると，急激な電界の変化による空間電荷の移動により，壁電荷の自己消去が発生し，放電セルに関して壁電荷分布が不均一になることもある。しかし，パネル電圧Ｖｙ−Ｖｘの下降期間が長ければ，空間電荷の再結合によって壁電圧が低くなり，自己消去が発生しない。したがって，パネル電圧Ｖｙ−Ｖｘの下降期間ΔＴｆをパネル電圧Ｖｙ−Ｖｘの上昇期間ΔＴｒより長くすることが好ましい。
【００５７】
　そこで，図１に示す維持放電回路により，パネル電圧Ｖｙ−Ｖｘの下降期間ΔＴｆをパネル電圧Ｖｙ−Ｖｘの上昇期間ΔＴｒより長くなる場合の駆動タイミングを図６に示す。すなわち，図６では，モード１（Ｍ１）でインダクタＬ１に電流を注入する期間Δｔ１が，モード５（Ｍ５）でインダクタＬ１に電流を注入する期間Δｔ５より長い。したがって，パネル電圧Ｖｙ-Ｖｘの上昇時間ΔＴｒが下降時間ΔＴｆより短くなる。
【００５８】
　次に，本発明の第２の実施形態にかかる走査・維持駆動部３００の維持放電回路について図７〜図９を参照しながら説明する。図７は第２の実施形態にかかる維持放電回路の概略的な回路図である。図８は第２の実施形態にかかる維持放電回路の駆動タイミング図であり，図９Ａ〜図９Ｈは第２の実施形態にかかる維持放電回路における各モードの電流経路を示す回路図である。
【００５９】
　上述した第１の実施形態においては，図３及び図６に示すように，モード９（Ｍ９）で，インダクタＬ１に流れる電流を全て回収した後にインダクタＬ２に電流を注入するようにしたが，必ずしもこれに限られず，後述する第２の実施形態にかかる維持放電回路のようにモード７（Ｍ７）及びモード８（Ｍ８）のどちらかでも，インダクタＬ２に電流を注入することができる。つまり，モード９（Ｍ９）の状態をモード７（Ｍ７）またはモード８（Ｍ８）の期間内に発生させることができる。このようにすると，パネル電圧Ｖｙ−Ｖｘが零ボルトに維持される期間が第１及び第２の実施の形態より短くできる。
【００６０】
　また，上述した第１の実施形態では，電源Ｖｓ／２，−Ｖｓ／２が供給する電圧を各々Ｖｓ/２及び−Ｖｓ/２とし，Ｙ電極電圧Ｖｙ及びＸ電極電圧Ｖｘの差を維持放電に必要な電圧Ｖｓとしたが，必ずしもこれに限られず，後述する第２の実施形態にかかる維持放電回路のように，Ｙ電極及びＸ電極に各々第２電圧例えば維持放電電圧Ｖｓと第１電圧（第１１電圧）例えば接地電圧０Ｖを印加することもできる。
【００６１】
　以下，第２の実施形態について具体的に説明する。図７に示すように，第２の実施形態にかかる維持放電回路は，第１の実施形態とは異なり，スイッチＹｓ，Ｘｓが維持放電電圧Ｖｓを供給する電源Ｖｓに連結されており，スイッチＹｇ，Ｘｇが接地電圧零ボルトを供給する接地線０に連結されている。また，電源Ｖｓと接地線０との間にはキャパシタＣｙｅｒ１，Ｃｙｅｒ２が直列に連結されており，スイッチＹｒ，ＹｆはキャパシタＣｙｅｒ１，Ｃｙｅｒ２の接続点に連結されている。同様に，電源Ｖｓと接地線０との間にはキャパシタＣｘｅｒ１，Ｃｘｅｒ２が直列に連結されており，スイッチＸｒ，ＸｆはキャパシタＣｘｅｒ１，Ｃｘｅｒ２の接続点に連結されている。このようなキャパシタＣｙｅｒ１，Ｃｙｅｒ２，Ｃｘｅｒ１，Ｃｘｅｒ２には各々Ｖ１，Ｖ２（第３電圧に相当），Ｖ３，Ｖ４電圧が充電されている。なお，例えば上記Ｙｇ，Ｙｓはそれぞれ第１，第２スイッチング素子の他の例を構成し，上記Ｙｒ，Ｙｆはそれぞれ第３，第４スイッチング素子の他の例を構成する。
【００６２】
　ここで，Ｖ２電圧及びＶ４電圧が維持放電電圧Ｖｓの半分に該当するＶｓ/２電圧であると仮定し，図８，図９Ａ〜図９Ｈを参照しながら第２の実施形態にかかる維持放電回路の動作ついて説明する。
【００６３】
　図８に示すように，モード１（Ｍ１：第１段階の他の例）では，スイッチング素子Ｙｇ，Ｘｇが導通した状態でスイッチング素子Ｙｒが導通する。そうすると，図９Ａに示すようにキャパシタＣｙｅｒ２，スイッチング素子Ｙｒ，インダクタＬ１，スイッチング素子Ｙｇへの電流経路（第１経路の他の例）が形成され，インダクタＬ１に流れる電流ＩＬ１はＶｓ/２Ｌ１の傾きで増加する。即ち，モード１（Ｍ１）ではパネルキャパシタＣｐのＹ電極電圧Ｖｙ及びＸ電極電圧Ｖｘが各々零ボルトに維持された状態でインダクタＬ１にエネルギ（第１エネルギ）が蓄積される。
【００６４】
　モード２（Ｍ２：第２段階の他の例，第１１段階の他の例）では，スイッチング素子Ｙｇが遮断され，図９Ｂに示すようにキャパシタＣｙｅｒ２，スイッチング素子Ｙｒ，インダクタＬ１，パネルキャパシタＣｐ，スイッチング素子Ｘｇ，接地線０に電流経路（第２経路の他の例）が形成されてＬＣ共振が発生する。このＬＣ共振によってパネルキャパシタＣｐのＹ電極電圧Ｖｙは増加するが，スイッチング素子ＹｓのボディーダイオードによってＶｓ電圧まで増加する。しかし，このＬＣ共振は，第１の実施の形態と同様にインダクタＬ１に一定量の電流が流れている状態（インダクタにエネルギが保存された状態）で発生する。
【００６５】
　モード３（Ｍ３：第３段階の他の例）では，パネルキャパシタＣｐのＹ電極電圧ＶｙがＶｓ電圧まで増加すると，スイッチング素子Ｙｓが導通してＹ電極電圧ＶｙがＶｓ電圧に維持される。そして，図９Ｃに示すようなキャパシタＣｙｅｒ１，スイッチング素子Ｙｒ，インダクタＬ１，スイッチング素子Ｙｓのボディーダイオードの経路（第６経路の他の例）経路でインダクタＬ１に流れていた電流ＩＬ１はキャパシタＣｙｅｒ１に回収される。
【００６６】
　図８及び図９Ｄに示すように，モード４（Ｍ４：第１２段階の他の例）では，インダクタＬ１に流れる電流ＩＬ１が０Ａになった後にスイッチング素子Ｙｒが遮断される。そして，スイッチング素子Ｙｓ，Ｘｇは導通しているので，スイッチング素子Ｙｓ，パネルキャパシタＣｐ，スイッチング素子Ｘｇの経路（第５経路の他の例）により，パネルキャパシタＣｐのＹ電極電圧Ｖｙ及びＸ電極電圧Ｖｘは各々Ｖｓ電圧及び零ボルトに維持され続ける。Ｙ電極及びＸ電極の電圧差Ｖｙ−Ｖｘが維持放電電圧になるので，維持放電が発生する。
【００６７】
　モード５（Ｍ５：第４段階の他の例）では，スイッチング素子Ｙｓ，Ｘｇが導通状態でスイッチング素子Ｙｆが導通する。そうすると，図９Ｅに示すように電源Ｖｓ，スイッチング素子Ｙｓ，インダクタＬ１，スイッチング素子Ｙｆ，キャパシタＣｙｅｒ２に電流経路（第３経路の他の例）が形成され，インダクタＬ１に流れる電流は−Ｖｓ/２Ｌ１の傾きで減少する。モード５（Ｍ５）では，パネルキャパシタＣｐのＹ電極電圧Ｖｙ及びＸ電極電圧Ｖｘを各々Ｖｓ電圧及び零ボルトに維持した状態で，モード１（Ｍ１）とは反対方向の電流をインダクタＬ１に注入する。即ち，インダクタにエネルギ（第２エネルギ）が蓄積される。
【００６８】
　モード６（Ｍ６：第５段階の他の例，第１３段階の他の例）では，スイッチング素子Ｙｓが遮断されて図９Ｆに示すようなスイッチング素子Ｘｇ，パネルキャパシタＣｐ，インダクタＬ１，スイッチング素子Ｙｆ，キャパシタＣｙｅｒ２に電流経路（第４経路の他の例）が形成され，ＬＣ共振が発生する。ＬＣ共振によってパネルキャパシタＣｐのＹ電極電圧Ｖｙは減少するが，スイッチング素子Ｘｇのボディーダイオードによって零ボルトまで減少する。しかし，このＬＣ共振はモード２（Ｍ２）の時のようにインダクタＬ１に一定量の電流が流れている状態（インダクタにエネルギが保存された状態）で発生する。
【００６９】
　モード７（Ｍ７：第６段階の他の例）では，パネルキャパシタＣｐのＹ電極電圧Ｖｙが零ボルトまで減少すると，スイッチング素子Ｙｇが導通し，Ｙ電極電圧Ｖｙが零ボルトに維持される。そして，図９Ｇに示すように，インダクタＬ１に流れていた電流ＩＬ１はスイッチング素子Ｙｇのボディーダイオード，インダクタＬ１，スイッチング素子Ｙｆ，キャパシタＣｙｅｒ２の経路（第７経路の１例）で流れ，キャパシタＣｙｅｒ２に回収される。
【００７０】
　図８及び図９Ｈのように，モード８（Ｍ８：第１４段階の他の例）では，インダクタＬ１に流れる電流ＩＬ１が零アンペアになった後にスイッチング素子Ｙｆが遮断される。そして，スイッチング素子Ｙｇ，Ｘｇは導通しているので，パネルキャパシタＣｐのＹ電極電圧Ｖｙ及びＸ電極電圧Ｖｘは各々零ボルト維持され続ける。
【００７１】
　このように，第２の実施形態においても，第１の実施形態と同様に，モード１（Ｍ１）〜モード８（Ｍ８）の過程で，パネル電圧Ｖｙ−Ｖｘは零ボルトからＶｓの間をスイングすることができる。そして，図９に示すように，モード９〜１６（Ｍ９〜１６）におけるスイッチング素子Ｘｓ，Ｘｇ，Ｘｒ，Ｘｆ及びスイッチング素子Ｙｓ，Ｙｇ，Ｙｒ，Ｙｆの動作は，各々モード１〜８（Ｍ１〜Ｍ８）におけるスイッチング素子Ｙｓ，Ｙｇ，Ｙｒ，Ｙｆ及びスイッチング素子Ｘｓ，Ｘｇ，Ｘｒ，Ｘｆの動作と同様である。
【００７２】
　このような第２の実施の形態では，キャパシタＣｙｅｒ２に充電された電圧Ｖ２を調節することによって，パネル電圧の上昇時間と下降時間を調節することができる。つまり，図９で，スイッチＹｒ，Ｙｇが同時に導通するモード１（Ｍ１）の期間と，スイッチＹｓ，Ｙｆが同時に遮断されるモード５（Ｍ５）の期間を調節することにより，キャパシタＣｙｅｒ２の電圧レベルの調整が可能である。
【００７３】
　次に，上記キャパシタＣｙｅｒ２の電圧レベルを調整する方法について図１０〜図１２を参照しながら説明する。図１０〜図１２はそれぞれ，第２の実施形態にかかる維持放電回路におけるキャパシタＣｙｅｒ２の放電電流及び充電電流を示す図である。
【００７４】
　図１０に示すように，モード１の期間Δｔ１とモード５の期間Δｔ５を同一にすると，モード１でキャパシタＣｙｅｒ２から放電される電流と，モード５でキャパシタＣｙｅｒ２を充電する電流とが同一になる。したがって，キャパシタＣｙｅｒ２，Ｃｙｅｒ２各々の両端電圧Ｖ１，Ｖ２がＶｓ/２電圧を維持する。
【００７５】
　このときは，図８に示すようにモード２及びモード６でインダクタＬ１に流れる電流ＩＬ１の大きさが最大になった時，パネルキャパシタＣｐのＹ電極電圧Ｖｙは，ほぼＶｓ/２電圧になる。
【００７６】
　一方，図１１に示すように，モード１の期間Δｔ１をモード５の期間Δｔ５より短くすると，キャパシタＣｙｅｒ２の放電電流がキャパシタＣｙｅｒ２の充電電流より小さくなる。そうすると，平衡状態になった時，キャパシタＣｙｅｒ２の両端電圧Ｖ２はキャパシタＣｙｅｒ１の両端電圧Ｖ１より大きい値を維持するようになる。つまり，Ｖ２電圧がＶｓ/２より大きくなる。
【００７７】
　この場合には，モード２（Ｍ２）で，インダクタＬ１とパネルキャパシタＣｐの共振のために印加される電圧Ｖ２がＶｓ/２電圧より大きいので，インダクタＬ１に流れる電流ＩＬ１の大きさが最大になった時，パネルキャパシタＣｐのＹ電極電圧ＶｙはＶｓ/２より大きい電圧になる。したがって，電流ＩＬ１の大きさが最大になった時点から少しだけ経過すると，Ｙ電極電圧ＶｙがＶｓ電圧になるので，パネル電圧の上昇時間ΔＴｒが短くなる。
【００７８】
　一方，図１２に示すように，モード１の期間Δｔ１をモード５の期間Δｔ５より長くすると，キャパシタＣｙｅｒ２の放電電流がキャパシタＣｙｅｒ２の充電電流より大きくなる。そうすると，平衡状態になった時，キャパシタＣｙｅｒ２の両端電圧Ｖ２はキャパシタＣｙｅｒ１の両端電圧Ｖ１より小さい値を維持するようになる。つまり，Ｖ２電圧がＶｓ/２より小さくなる。
【００７９】
　この場合には，モード２（Ｍ２）で，インダクタＬ１とパネルキャパシタＣｐの共振のために印加される電圧Ｖ２がＶｓ/２電圧より小さいので，インダクタＬ１に流れる電流ＩＬ１の大きさが最大になった時，パネルキャパシタＣｐのＹ電極電圧ＶｙはＶｓ/２より小さい電圧になる。したがって，電流ＩＬ１の大きさが最大になった時点から多くの時間が経過すると，Ｙ電極電圧ＶｙがＶｓ電圧になるので，パネル電圧の上昇時間ΔＴｒが長くなる。
【００８０】
　このように，第２の実施形態では，モード１（Ｍ１）とモード５（Ｍ２）の期間を調節することによって，キャパシタＣｙｅｒ２の電圧をＶｓ/２電圧でない他の電圧とすることができる。そして，これにより，パネル電圧の上昇時間と下降時間を調節することができる。
【００８１】
　このとき，第２の実施形態では，キャパシタＣｙｅｒ１を除去してモード３での電流を電源Ｖｓで回収することも可能である。さらに，キャパシタＣｙｅｒ２の代りにＶ２電圧を供給する電源を連結することもできる。この場合にはＶ２電圧をＶ２/２電圧とし，第１の実施形態で説明したように，モード１とモード５の期間を調節することによって，パネル電圧の上昇時間と下降時間を調節することも可能である。
【００８２】
　そして，前述した図２に示すの維持放電回路においても接地線０の代りにキャパシタＣｙｅｒ２をスイッチＹｒ，Ｙｆに連結することも可能である。そうすると，上述したように，キャパシタＣｙｅｒ２の放電電流（モード１）と充電電流（モード２）を調節することによって，パネル電圧の上昇時間と下降時間を調節することができる。また，キャパシタＣｙｅｒ２の代りに同一の電圧を供給する電源を連結することもできる。
【００８３】
　そして，第１及び第２の実施形態では，Ｙ電極に印加される電圧をＶｓ電圧と零ボルト，またはＶｓ/２電圧と−Ｖｓ/２電圧として説明した。これとは異なって二つの電圧の差がＶｓ電圧になる二つの電圧Ｖｈ，Ｖｈ−ＶｓをＹ電極に印加することもできる。
【００８４】
　次に，本発明の第３の実施形態にかかる走査・維持駆動部３００の維持放電回路について図１３，図１４を参照しながら詳細に説明する。図１３は第３の実施形態にかかる維持放電回路の概略的な回路図であり，図１４は第３の実施形態にかかる維持放電回路の駆動タイミング図である。
【００８５】
　図１３に示すように，第３の実施形態にかかる維持放電回路は−Ｖｓ/２の電圧を−電源として使用せず，キャパシタＣ１，Ｃ２を使用して供給するという点を除いては，図２に示す第１の実施の形態にかかる維持放電回路とほぼ同様である。そして，第１の実施の形態にかかる駆動方法は，図１３に示す維持放電回路の駆動方式にも適用することができる。
【００８６】
　詳述すると，第３の実施形態にかかる維持放電回路は，スイッチング素子Ｙｈ，Ｙｌ，Ｘｈ，Ｘｌ，キャパシタＣ１，Ｃ２及びダイオードＤｙ３，Ｄｘ３をさらに含み，キャパシタＣ１，Ｃ２にはそれぞれＶｓ/２の電圧が充電されている。スイッチング素子Ｙｈ，Ｙｌは電源Ｖｓ/２と接地線０との間に直列に連結され，スイッチング素子Ｙｈ，Ｙｌの接続点と接地線０との間には，キャパシタＣ１とダイオードＤｙ３が直列に連結されている。スイッチング素子Ｙｓはスイッチング素子Ｙｈ，Ｙｌの接続点に連結され，スイッチング素子ＹｇはキャパシタＣ１とダイオードＤｙ３との接続点に連結される。同様に，スイッチング素子Ｘｈ，Ｘｌは電源Ｖｓ/２と接地線０との間に直列に連結され，その接続点と接地線０との間には，キャパシタＣ２とダイオードＤｘ３が直列に連結されている。スイッチング素子Ｘｓはスイッチング素子Ｘｈ，Ｘｌの接続点に連結され，スイッチング素子ＸｇはキャパシタＣ２とダイオードＤｘ３との接続点に連結される。
【００８７】
　このような第３の実施形態にかかる維持放電回路の動作は，図１４に示すようにスイッチング素子Ｙｓ，Ｙｇ，Ｘｓ，Ｘｇが動作する時点に，各々スイッチング素子Ｙｈ，Ｙｌ，Ｘｈ，Ｘｌが同時に動作するという点を除いては第１の実施形態とほぼ同様である。より詳細に説明すると，スイッチング素子Ｙｓ，Ｙｈが同時に導通状態になってパネルキャパシタＣｐに電源Ｖｓ/２の電圧Ｖｓ/２を供給する。同様に，スイッチング素子Ｘｓ，Ｘｈが同時に導通してパネルキャパシタＣｐに電源Ｖｓ/２の電圧Ｖｓ/２を供給する。また，スイッチング素子Ｙｇ，Ｙｌが同時にオンになって接地線０，スイッチング素子Ｙｌ，キャパシタＣ１，スイッチング素子Ｙｇの経路を通じて−Ｖｓ/２の電圧をパネルキャパシタＣｐに供給する。同様にスイッチング素子Ｘｇ，Ｘｌが同時に導通して接地線０，スイッチング素子Ｘｌ，キャパシタＣ１，スイッチング素子Ｘｇの経路を通じて−Ｖｓ/２の電圧をパネルキャパシタＣｐに供給する。
【００８８】
　このような第３の実施形態によれば，Ｖｓ/２電圧を供給する電源でＶｓ/２電圧及び−Ｖｓ/２電圧をパネルキャパシタＣｐに供給することができる。
【００８９】
　次に，本発明の第４の実施形態にかかる走査・維持駆動部３００の維持放電回路について図１５，図１６を参照しながら説明する。図１５は第４の実施形態にかかる維持放電回路の概略的な回路図であり，図１６は第４の実施形態にかかる維持放電回路の駆動タイミング図である。
【００９０】
　上記第１〜第３の実施形態では，Ｙ電極電圧Ｖｙの上昇及び下降に同じインダクタＬ１を使用したが，必ずしもこれに限定されるものではない。この点，第４の実施形態においてはＹ電極電圧Ｖｙの上昇及び下降に互いに異なるインダクタ（図１５のＬ１１，Ｌ１２）を用いている。そして，このような二つのインダクタを使用する場合には，インダクタに電流を注入する段階（図３のＭ１，Ｍ５）を省略することができる。例えばインダクタＬ１１，Ｌ１２はそれぞれ第１，第２インダクタの１例を構成する。
【００９１】
　以下，このような第４の実施形態について具体的に説明する。図１５には，パネルキャパシタＣｐのＸ電極電圧はある段階では零ボルトに維持すると仮定し，維持放電回路のうちのＹ電極部分だけを示したものである。第４の実施形態にかかる維持放電回路はインダクタＬ１１，Ｌ１２，キャパシタＣｙｅｒ，電源Ｖｓ及び接地線０を除いては第１の実施形態とほぼ同様である。
【００９２】
　より詳細には，スイッチング素子Ｙｓ，Ｙｇは第１３電圧例えばＶｓを供給する電源Ｖｓと第１１電圧（ここでは電圧０）の信号線に相当する接地線０との間に直列に連結されている。
【００９３】
　インダクタＬ１１はスイッチング素子Ｙｓ，Ｙｇの接続点とスイッチング素子Ｙｒとの間に連結され，インダクタＬ１２はスイッチング素子Ｙｓ，Ｙｇの接続点とスイッチング素子Ｙｆとの間に連結されている。そして，スイッチング素子Ｙｒ，Ｙｆの接続点と接地線０との間にはキャパシタＣｙｅｒが連結されている。電源ＶｓはＶｓ電圧を供給し，キャパシタＣｙｅｒにはＶｓ/２電圧が充電されている。即ち，電源Ｖｓと接地線０によって，Ｙ電極電圧Ｖｙは第１の実施の形態とは異なって第１２電圧である零ボルトから第１３電圧であるＶｓの間をスイングする。
【００９４】
　図１５に示すように，モード１（Ｍ１）ではスイッチング素子Ｙｒが導通して，キャパシタＣｙｅｒ，スイッチング素子Ｙｒ，インダクタＬ１１，パネルキャパシタＣｐの経路（第１共振経路）でＬＣ共振が発生する。このＬＣ共振によって，図１６に示すように，パネル電圧Ｖｐは増加するようになり，インダクタＬ１１の電流ＩＬ１１はサイン波の半周期（０度から１８０度）を形成する。モード２（Ｍ２）では，Ｙ電極電圧ＶｙがＶｓ電圧まで増加したとき，スイッチング素子Ｙｒがオフになりスイッチング素子Ｙはオンになって，Ｙ電極電圧ＶｙはＶｓに維持される。つまり，モード２（Ｍ２）でパネルは維持放電する。
【００９５】
　次に，モード３（Ｍ３）では，スイッチング素子Ｙｓがオフになりスイッチング素子Ｙｆがオンになって，パネルキャパシタＣｐ，インダクタＬ１２，スイッチング素子Ｙｆ，キャパシタＣｙｅｒの経路（第２共振経路）でＬＣ共振が発生する。この共振によってパネル電圧Ｖｐは減少し，インダクタＬ１２の電流ＩＬ１２はサイン波の後半周期（１８０度から３６０度）を形成する。モード４（Ｍ４）ではパネル電圧Ｖｐが零ボルトまで減少したとき，スイッチング素子Ｙｆがオフになりスイッチング素子Ｙｇがオンになって，Ｙ電極電圧Ｖｙは零ボルトに維持される。
【００９６】
　そして，Ｙ電極電圧Ｖｙを零ボルトに維持しながらモード１〜４（Ｍ１〜Ｍ４）に対応する過程を通じてＸ電極電圧Ｖｘを零ボルトからＶｓ電圧の間でスイングさせる。このようにしてパネルに維持放電に必要な電圧Ｖｓを供給することができる。
【００９７】
　下記の数式（３）及び（４）に示すように，Ｙ電極電圧Ｖｙの上昇時間ΔＴｒ及び下降時間ΔＴｆは，各々インダクタＬ１１，Ｌ１２のインダクタンスＬ１１，Ｌ１２の関数であるので，インダクタンスＬ１１，Ｌ１２を調節することによって，パネル電圧Ｖｙの上昇時間ΔＴｒ及び下降時間ΔＴｆを調節することができる。このとき，前述のようにインダクタンスＬ１１を小さくしインダクタンスＬ１２を大きくして，パネル電圧Ｖｙの上昇時間ΔＴｒを短くし下降時間ΔＴｆを長いようにすることが好ましい。
【００９８】
【数３】
2004133475.tif 000005
【００９９】
【数４】
2004133475.tif 000006
【０１００】
　そして，第４の実施形態においても第１の実施形態のように電源Ｖｓ/２，−Ｖｓ/２を用いることができる。つまり，スイッチング素子Ｙｓ，Ｙｇに各々電源Ｖｓ/２，−Ｖｓ/２を連結し，スイッチング素子Ｙｒ，Ｙｆの接続点にキャパシタＣｅｒの代りに接地線０を連結することができる。このようにすると，第１の実施形態のようにパネルキャパシタＣｐのＹ電極電圧Ｖｙを−Ｖｓ/２電圧からＶｓ/２電圧の間でスイングさせることができる。Ｙ電極電圧ＶｙがＶｓ/２電圧であるとき，Ｘ電極電圧Ｖｘを−Ｖｓ/２に維持し，パネルに維持放電に必要な電圧Ｖｓを供給することができる。
【０１０１】
　以上第１〜第４の実施形態で説明したように，本発明によれば，パネル電圧の上昇時間及び下降時間を調節することができる。特に，パネル電圧の上昇時間を急速にし，パネル電圧上昇中に放電が二度発生しないようにすることで，均一な放電が可能になる。また，パネル電圧の下降時間を上昇時間より長くすることで，壁電荷の自己消去が発生しないようにし，放電セル間壁電荷分布を均一にすることができる。
【０１０２】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０３】
　例えば上記実施形態では，第３電圧は，第１電圧及び第２電圧の中間に該当する電圧である場合について説明したが，第３電圧は，第１電圧及び前記第２電圧の中間に該当する電圧と，第２電圧との間の電圧であってもよく，また第３電圧は，第１電圧及び第２電圧の間の電圧であれば上記のような電圧に限られない。
【産業上の利用可能性】
【０１０４】
　本発明は，プラズマディスプレイパネルを駆動する際の駆動装置及び駆動方法に適用可能である。
【図面の簡単な説明】
【０１０５】
【図１】本発明にかかるプラズマディスプレイパネルの概略的なブロック図である。
【図２】本発明の第１の実施形態にかかる維持放電回路の概略的な回路図である。
【図３】同実施形態にかかる維持放電回路の駆動タイミングを１例を示す図である。
【図４Ａ】同実施形態にかかる維持放電回路においてモード１の電流経路を示す回路図である。
【図４Ｂ】同実施形態にかかる維持放電回路においてモード２の電流経路を示す回路図である。
【図４Ｃ】同実施形態にかかる維持放電回路においてモード３の電流経路を示す回路図である。
【図４Ｄ】同実施形態にかかる維持放電回路においてモード４の電流経路を示す回路図である。
【図４Ｅ】同実施形態にかかる維持放電回路においてモード５の電流経路を示す回路図である。
【図４Ｆ】同実施形態にかかる維持放電回路においてモード６の電流経路を示す回路図である。
【図４Ｇ】同実施形態にかかる維持放電回路においてモード７の電流経路を示す回路図である。
【図４Ｈ】同実施形態にかかる維持放電回路においてモード８の電流経路を示す回路図である。
【図５】同実施形態における放電セルにおける壁電荷状態を示す図である。
【図６】同実施形態にかかる維持放電回路の駆動タイミングの他の例を示す図である。
【図７】本発明の第２の実施の形態にかかる維持放電回路の概略的な回路図である。
【図８】同実施形態にかかる維持放電回路の駆動タイミング図である。
【図９Ａ】同本実施形態にかかる維持放電回路においてモード１の電流経路を示す回路図である。
【図９Ｂ】同実施形態にかかる維持放電回路においてモード２の電流経路を示す回路図である。
【図９Ｃ】同実施形態にかかる維持放電回路においてモード３の電流経路を示す回路図である。
【図９Ｄ】同実施形態にかかる維持放電回路においてモード４の電流経路を示す回路図である。
【図９Ｅ】同実施形態にかかる維持放電回路においてモード５の電流経路を示す回路図である。
【図９Ｆ】同実施形態にかかる維持放電回路においてモード６の電流経路を示す回路図である。
【図９Ｇ】同実施形態にかかる維持放電回路においてモード７の電流経路を示す回路図である。
【図９Ｈ】同実施形態にかかる維持放電回路においてモード８の電流経路を示す回路図である。
【図１０】同実施形態にかかる維持放電回路におけるキャパシタの放電電流及び充電電流を示す図である。
【図１１】同実施形態にかかる維持放電回路におけるキャパシタの放電電流及び充電電流を示す図である。
【図１２】同実施形態にかかる維持放電回路におけるキャパシタの放電電流及び充電電流を示す図である。
【図１３】本発明の第３の実施形態にかかる維持放電回路の概略的な回路図である。
【図１４】同実施形態にかかる維持放電回路の駆動タイミング図である。
【図１５】本発明の第４の実施形態にかかる維持放電回路の概略的な回路図である。
【図１６】同実施形態にかかる維持放電回路の駆動タイミング図である。
【符号の説明】
【０１０６】
　１００　　　プラズマパネル
　２００　　　アドレス駆動部
　３００　　　走査・維持駆動部
　４００　　　制御部
　３１０　　　Ｙ電極駆動部
　３２０　　　Ｘ電極駆動部
　３３０　　　Ｙ電極電力回収部
　３４０　　　Ｘ電極電力回収部
Ｙｓ，Ｙｇ，Ｘｓ，Ｘｇ　　スイッチング素子
Ｙｒ，Ｙｆ，Ｘｒ，Ｘｆ　　スイッチング素子
Ｙｈ，Ｙｌ，Ｘｈ，Ｘｌ　　スイッチング素子
Ｌ１，Ｌ２　　　インダクタ
Ｃｐ　　　　　　パネルキャパシタ
Ｃｙｅｒ１，Ｃｙｅｒ２　　　キャパシタ
Ｃｘｅｒ１，Ｃｘｅｒ２　　　キャパシタ
Ｖｙ　　　Ｙ電極電圧
Ｖｘ　　　Ｘ電極電圧
　Ｖｓ/２　　　＋電源
−Ｖｓ/２　　　−電源
０　　　接地線
Ｄｙ１，Ｄｙ２，Ｄｘ１　　ダイオード
Ｄｘ２，Ｄｙ３，Ｄｘ３　　ダイオード
Ｖｙ−Ｖｘ　　パネル電圧
【図１】
2004133475.tif 000007
【図２】
2004133475.tif 000008
【図３】
2004133475.tif 000009
【図４Ａ】
2004133475.tif 000010
【図４Ｂ】
2004133475.tif 000011
【図４Ｃ】
2004133475.tif 000012
【図４Ｄ】
2004133475.tif 000013
【図４Ｅ】
2004133475.tif 000014
【図４Ｆ】
2004133475.tif 000015
【図４Ｇ】
2004133475.tif 000016
【図４Ｈ】
2004133475.tif 000017
【図５】
2004133475.tif 000018
【図６】
2004133475.tif 000019
【図７】
2004133475.tif 000020
【図８】
2004133475.tif 000021
【図９Ａ】
2004133475.tif 000022
【図９Ｂ】
2004133475.tif 000023
【図９Ｃ】
2004133475.tif 000024
【図９Ｄ】
2004133475.tif 000025
【図９Ｅ】
2004133475.tif 000026
【図９Ｆ】
2004133475.tif 000027
【図９Ｇ】
2004133475.tif 000028
【図９Ｈ】
2004133475.tif 000029
【図１０】
2004133475.tif 000030
【図１１】
2004133475.tif 000031
【図１２】
2004133475.tif 000032
【図１３】
2004133475.tif 000033
【図１４】
2004133475.tif 000034
【図１５】
2004133475.tif 000035
【図１６】
2004133475.tif 000036